(57)【要約】      （修正有）【課題】従来、低圧室の気密扉を気密する際に、低圧室の外側又は内側何れか一方からしか操作できなかったものを、低圧室の内外両方から操作でき、且つ、安価に気密せしめようとするものである。【解決手段】筐体３及びドアプレートで構成し、且つ、筐体とドアプレートをパッキンで気密する低圧室１において、ドアプレートを貫通するシャフト６をドアプレートの内外何れか一方又は両方に軸受け及び軸封機構を設け、且つ、シャフト両端にハンドル１８を緊結し、ドアプレートの内外何れか一方又は両方に筐体とドアプレートを気密するための車輪付きアーム及び傾斜板で構成する押し付け機構で気密することを特徴とする。【選択図】図４
0003120425.tif 000002
【実用新案登録請求の範囲】
【請求項１】
筐体及びドアプレートで構成し、且つ、該筐体と該ドアプレートをパッキンで気密する低圧室において、該ドアプレートを貫通するシャフトを該ドアプレートの内外何れか一方又は両方に軸受け及び軸封機構を設け、且つ、シャフト両端にハンドルを緊結し、該ドアプレートの内外何れか一方又は両方に該筐体と該ドアプレートを気密するための車輪付きアーム及び傾斜板で構成する押し付け機構で気密する低圧室気密扉の気密方法。
【考案の詳細な説明】
【技術分野】
【０００１】近年、高地環境における人の生理的意義の研究が盛んになってきた。本考案は、高地の気圧環境を平地で実現するための低圧室に関するものである。
【背景技術】
【０００２】    （特許文献１）従来、特公平２−４２９９２においては運動用気密室、特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６においては地下又は半地下に設置された運動用大規模減圧訓練施設が提案されているものの、これらは何れも運動することを前提とした大規模低圧室の全体構造に関するものである。
（特許文献２）また、実開平２−１１８５７１においては疑似高地トレーニングを想定した減圧訓練施設が提案されているものの、これも運動することを前提とした大規模低圧室の全体構造に開するものである。
【考案の開示】
【考案が解決しようとする課題】
【０００３】本考案は、従来、低圧室の気密扉を気密する際に該低圧室の外側又は内側何れか一方からしか操作できなかったものを、該低圧室の内外両方から操作でき、且つ、安価に気密せしめようとするものである。
【課題を解決するための手段】
【０００４】本考案は、筐体及びドアプレートで構成し、且つ、該筐体と該ドアプレートをスポンジパッキンのようなパッキンで気密する低圧室において、該ドアプレートを貫通するシャフトを該ドアプレートの内外何れか一方又は両方に軸受け及び軸封機構を設け、且つ、シャフト両端にハンドルを緊結し、該ドアプレートの内外何れか一方又は両方に該筐体と該ドアプレートを気密するための車輪付きアーム及び傾斜板で構成する押し付け機構で気密することを特徴とする。
【考案の効果】
【０００５】本考案は、何時でも何処でも誰にでも、簡単且つ容易に低圧室を利用できることを目的に考案した低圧室を、さらに安全・安心の面においても質的向上を目指すために、該低圧室の気密扉を該低圧室の内外両方から開閉できるように考案したものである。この方法によると機構がきわめて簡単なるが故に、低圧室の製作コスト縮減からも大きな効果があり、多くの人に低圧室を安価に利用できる道が開けた。
【考案を実施するための最良の形態】
【０００６】
【実施例】
【０００７】図１乃至図３に低圧室の構成例を、図４に本考案を利用した低圧室の気密扉の気密方法の実施例をそれぞれ示す。まず、図１乃至図３の構成例について説明する。低圧室１は、エンドプレート２、筐体３及び気密扉４で構成され、気密扉４は筐体３に緊結したベアリングユニット５にシャフト６が回転自在に取り付けられ、シャフト６の両端にはドアアーム７の一端が緊結され、ドアアーム７の他端にはピンブラケット８が回転自在に取り付けられ、ピンブラケット８には気密扉４が緊結される。【０００８】次に、図４の本考案を利用した低圧室の気密扉の気密方法について説明する。気密扉４には気密扉開口部２８が設けられＯリング１１を装着したベアリングケース１０がボルト（図示せず）で緊結され気密をなす。ベアリングケース１０にはシャフト１２が挿入されベアリング１３、１４を装着しストップリング１５、１６で固定される。また、ベアリング１３の室外側にはオイルシール１７が装着されベアリングケース１０とシャフト１２との気密をなす。また、シャフト１２の室外側端部にはハンドル１８が緊結され、他端にはカムフォロワー２３を緊結したアーム２０及びハンドル１９がそれぞれ緊結される。【０００９】次に、低圧室の気密扉の気密方法について説明する。低圧室の気密扉４を気密するには、まず気密扉４を筐体フランジ２５まで引き寄せ、ハンドル１８又は１９を回転させてカムフォロワー２３を緊結したアーム２０を筐体フランジ２５に緊結した傾斜金具２７に引っ掛ける。さらにハンドル１８又は１９を回転させるとカムフォロワー２３は傾斜金具２７に沿って回転し、気密扉４は筐体フランジ２５の側に引き寄せられる。気密扉４が筐体フランジ２５側に引き寄せられると、気密扉４の外周に配してあるパッキン２６が筐体フランジ２５と密着して気密をなすことができる。
【産業上の利用可能性】
【００１０】本考案は、何時でも何処でも誰にでも、簡単且つ容易に低圧室を利用できることを目的に考案した低圧室を、さらに安全・安心の面においても質的向上を目指すために、該低圧室の気密扉を該低圧室の内外両方から開閉できるように考案したものである。この方法によると機構がきわめて簡単なるが故に、低圧室の製作コスト縮減からも大きな効果があり、個人用として或いは業務用として多くの人々に低圧室を安価且つ気軽に利用できる道が開けた。即ち産業上の利用可能性としては、一般家庭に低圧室を設置して高地気圧環境を体験したり、低圧室サービスショップに設置して不特定多数の顧客に高地気圧環境を体験してもらうことが可能となった。
【図面の簡単な説明】
【００１１】
【図１】は、低圧室の構成例を説明する立面図である。
【図２】は、低圧室の構成例を説明する平面図である。
【図３】は、低圧室の構成例を説明する側面図である。
【図４】は、本考案を利用した低圧室気密扉の気密方法を説明する断面Ａ−Ａ図面である。
【図５】は、本考案を利用した低圧室気密扉の気密方法を説明するＢ−Ｂ矢視図面である。
【符号の説明】
【００１０】１  低圧室                              ２  エンドプレート
３  筐体                                ４  気密扉
５  ベアリングユニット                  ６  シャフト
７  ドアアーム                          ８  ピンブラケット
９  ベアリングケース                    １０  ボルト
１１  Ｏリング                          １２  シャフト
１３  ベアリング                        １４  ベアリング
１５  ストップリング                    １６  オイルシール
１７  ストップリング                    １８  ハンドル
１９  ハンドル                          ２０  アーム
２１  ロックナット                      ２２  座金
２３  カムフォロワー                    ２４  気密扉フランジ
２５  筐体フランジ                      ２６  パッキン
２７  傾斜金具                          ２８  気密扉開口部
【図１】
0003120425.tif 000003
【図２】
0003120425.tif 000004
【図３】
0003120425.tif 000005
【図４】
0003120425.tif 000006
【図５】
0003120425.tif 000007
【手続補正書】
【提出日】平成17年12月24日(2005.12.24)
【手続補正１】
【補正対象書類名】実用新案登録請求の範囲
【補正対象項目名】全文
【補正方法】変更
【補正の内容】
【実用新案登録請求の範囲】
【請求項１】
筐体及びドアプレートで構成し、且つ、該筐体と該ドアプレートをパッキンで気密する低圧室において、該ドアプレートを貫通するシャフトを該ドアプレートの内外何れか一方又は両方に軸受け及び軸封機構を設け、且つ、該シャフト両端にハンドルを緊結し、該ドアプレートの内外何れか一方又は両方に、該筐体に該ドアプレートを押し付けるための車輪付きアーム及び傾斜板で構成する押し付け機構を設けて気密することを特徴とする低圧室気密扉。
【手続補正書】
【提出日】平成17年12月24日(2005.12.24)
【手続補正１】
【補正対象書類名】明細書
【補正対象項目名】全文
【補正方法】変更
【補正の内容】
【考案の詳細な説明】
【技術分野】
【０００１】近年、高地環境における人の生理的意義の研究が盛んになってきた。本考案は、高地の気圧環境を平地で実現するための低圧室に関するものである。
【背景技術】
【０００２】    （特許文献１）従来、特公平２−４２９９２においては運動用気密室、特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６においては地下又は半地下に設置された運動用大規模減圧訓練施設が提案されているものの、これらは何れも運動することを前提とした大規模低圧室の全体構造に関するものである。
（特許文献２）また、実開平２−１１８５７１においては疑似高地トレーニングを想定した減圧訓練施設が提案されているものの、これも運動することを前提とした大規模低圧室の全体構造に関するものである。
【考案の開示】
【考案が解決しようとする課題】
【０００３】本考案は、従来、低圧室の気密扉を気密する際に該低圧室の外側又は内側何れか一方からしか操作できなかったものを、該低圧室の内外両方から操作でき、且つ、安価に気密せしめようとするものである。
【課題を解決するための手段】
【０００４】本考案は、筐体及びドアプレートで構成し、且つ、該筐体と該ドアプレートをパッキンで気密する低圧室において、該ドアプレートを貫通するシャフトを該ドアプレートの内外何れか一方又は両方に軸受け及び軸封機構を設け、且つ、該シャフト両端にハンドルを緊結し、該ドアプレートの内外何れか一方又は両方に、該筐体に該ドアプレートを押し付けるための車輪付きアーム及び傾斜板で構成する押し付け機構を設けて気密する低圧室気密扉であることを特徴とする。
【考案の効果】
【０００５】本考案は、何時でも何処でも誰にでも、簡単且つ容易に低圧室を利用できることを目的に考案した低圧室を、さらに安全・安心の面においても質的向上を目指すために、該低圧室の気密扉を該低圧室の内外両方から開閉できるように考案したものである。この方法によると機構がきわめて簡単なるが故に、低圧室の製作コスト縮減に大きな効果があり、省資源・省エネルギーの観点からも地球に優しく、且つ、多くの人に低圧室を安価に利用できる道が開けた。
【考案を実施するための最良の形態】
【０００６】
【実施例】
【０００７】図１乃至図３に低圧室の構成例を、図４に本考案を利用した低圧室の気密扉の気密方法の実施例をそれぞれ示す。まず、図１乃至図３の構成例について説明する。低圧室１は、エンドプレート２、筐体３及び気密扉４で構成され、気密扉４は筐体３に緊結したベアリングユニット５にシャフト６が回転自在に取り付けられ、シャフト６の両端にはドアアーム７の一端が緊結され、ドアアーム７の他端にはピンブラケット８が回転自在に取り付けられ、ピンブラケット８には気密扉４が緊結される。【０００８】次に、図４の本考案を利用した低圧室の気密扉の気密方法について説明する。気密扉４には気密扉開口部２８が設けられＯリング１１を装着したベアリングケース１０がボルト（図示せず）で緊結され気密をなす。ベアリングケース１０にはシャフト１２が挿入されベアリング１３、１４を装着しストップリング１５、１６で固定される。また、ベアリング１３の室外側にはオイルシール１７が装着されベアリングケース１０とシャフト１２との気密をなす。また、シャフト１２の室外側端部にはハンドル１８が緊結され、他端にはカムフォロワー２３を緊結したアーム２０及びハンドル１９がそれぞれ緊結される。【０００９】次に、低圧室の気密扉の気密方法について説明する。低圧室の気密扉４を気密するには、まず気密扉４を筐体フランジ２５まで引き寄せ、ハンドル１８又は１９を回転させてカムフォロワー２３を緊結したアーム２０を筐体フランジ２５に緊結した傾斜金具２７に引っ掛ける。さらにハンドル１８又は１９を回転させるとカムフォロワー２３は傾斜金具２７に沿って回転し、気密扉４は筐体フランジ２５の側に引き寄せられる。気密扉４が筐体フランジ２５側に引き寄せられると、気密扉４の外周に配してあるパッキン２６が筐体フランジ２５と密着して気密をなすことができる。
【産業上の利用可能性】
【００１０】本考案は、何時でも何処でも誰にでも、簡単且つ容易に低圧室を利用できることを目的に考案した低圧室を、さらに安全・安心の面においても質的向上を目指すために、該低圧室の気密扉を該低圧室の内外両方から開閉できるように考案したものである。この方法によると機構がきわめて簡単なるが故に、低圧室の製作コスト縮減からも大きな効果があり、個人用として或いは業務用として多くの人々に低圧室を安価且つ気軽に利用できる道が開けた。即ち産業上の利用可能性としては、一般家庭に低圧室を設置して高地気圧環境を体験したり、低圧室サービスショップに設置して不特定多数の顧客に高地気圧環境を体験してもらうことが可能となった。
【図面の簡単な説明】
【００１１】
【図１】は、低圧室の構成例を説明する立面図である。
【図２】は、低圧室の構成例を説明する平面図である。
【図３】は、低圧室の構成例を説明する側面図である。
【図４】は、本考案を利用した低圧室気密扉の気密方法を説明する断面Ａ−Ａ図面である。
【図５】は、本考案を利用した低圧室気密扉の気密方法を説明するＢ−Ｂ矢視図面である。
【符号の説明】
【００１０】１  低圧室                              ２  エンドプレート
３  筐体                                ４  気密扉
５  ベアリングユニット                  ６  シャフト
７  ドアアーム                          ８  ピンブラケット
９  ベアリングケース                    １０  ボルト
１１  Ｏリング                          １２  シャフト
１３  ベアリング                        １４  ベアリング
１５  ストップリング                    １６  オイルシール
１７  ストップリング                    １８  ハンドル
１９  ハンドル                          ２０  アーム
２１  ロックナット                      ２２  座金
２３  カムフォロワー                    ２４  気密扉フランジ
２５  筐体フランジ                      ２６  パッキン
２７  傾斜金具                          ２８  気密扉開口部